(57)【要約】【課題】旋回しながら吐水するノズルを備えた吐水装置において、加工費を抑えると共に安定して旋回するノズルを備えた吐水装置を提供する。特に人体に吐水される場合に好適である。【解決手段】湯水が流入する流入室と、流入した湯水を吐水するノズルとが組み込まれた吐水装置であって、湯水が流入室内の内周壁面に沿って旋回流を起こすように流入室に流入口を形成し、さらに、このノズルは、略円柱形のノズル本体と、このノズル本体の一端部に先端部と、このノズル本体の他端部に形成した錘部とから形成され、かつノズルの軸方向に沿って通水路を形成するとともに、先端部には通水部に連通する吐水口を形成し、さらにノズルの先端部を外部に臨ませてノズル本体を流入室のノズル支持部にて支持し、旋回流によりノズルを首振り可能に構成するとと共に、前記錘部は、略円柱形の側部を部分的にカットした。【選択図】  図１
2004154732.tif 000002
【特許請求の範囲】
【請求項１】
湯水が流入する流入室と、流入室内に流入した湯水を吐水するノズルとが組み込まれた吐水装置であって、流入室内に流入した湯水が流入室内の内周壁面に沿って旋回流を起こすように流入室に流入口を形成し、さらに、このノズルは、略円柱形のノズル本体と、このノズル本体の一端部にこのノズル本体よりも小径の先端部と、このノズル本体の他端部に形成した錘部とから形成されており、かつ、ノズルの軸方向に沿って通水路を形成するとともに、先端部には通水部に連通する吐水口を形成し、さらに、ノズルの先端部を流入室の開口部から外部に臨ませてノズル本体を流入室のノズル支持部にて支持し、旋回流によりノズルを首振り可能に構成するとと共に、前記錘部は、略円柱形の側部を部分的にカットしたことを特徴とする吐水装置。
【請求項２】
湯水が流入する流入室と、流入室内に流入した湯水を吐水するノズルとが組み込まれた吐水装置であって、流入室内に流入した湯水が流入室内の内周壁面に沿って旋回流を起こすように流入室に流入口を形成し、さらに、このノズルは、略円柱形のノズル本体と、このノズル本体の一端部にこのノズル本体よりも小径の先端部と、このノズル本体の他端部に形成した錘部とから形成されており、かつ、ノズルの軸方向に沿って通水路を形成するとともに、先端部には通水部に連通する吐水口を形成し、さらに、ノズルの先端部を流入室の開口部から外部に臨ませてノズル本体を流入室のノズル支持部にて支持し、旋回流によりノズルを首振り可能に構成するとと共に、前記錘部は、略円柱形の側部に対して、対向する両側面を形成するようにカットしてなることを特徴とする吐水装置。
【請求項３】
湯水が流入する流入室と、流入室内に流入した湯水を吐水するノズルとが組み込まれた吐水装置であって、流入室内に流入した湯水が流入室内の内周壁面に沿って旋回流を起こすように流入室に流入口を形成し、さらに、このノズルは、略円柱形のノズル本体と、このノズル本体の一端部にこのノズル本体よりも小径の先端部と、このノズル本体の他端部に形成した錘部とから形成されており、かつ、ノズルの軸方向に沿って通水路を形成するとともに、先端部には通水部に連通する吐水口を形成し、さらに、ノズルの先端部を流入室の開口部から外部に臨ませてノズル本体を流入室のノズル支持部にて支持し、旋回流によりノズルを首振り可能に構成するとと共に、前記ノズルに対して、初期通水時に非対称に旋回流の水力が加わることを特徴とする吐水装置。
【請求項４】
前記ノズルは、金属製であることを特徴とする請求項１乃至３のいずれか１つに記載の吐水装置。
【発明の詳細な説明】
【０００１】
【発明の属する技術分野】
本発明は、吐水装置に関する。詳しくは、旋回するノズルから吐水される吐水装置に関する。
【０００２】
【従来の技術】
従来、ノズルを旋回して吐水する吐水装置としては、ノズル先端をノズル受け部に密着させ、水流により旋回ノズルに設けられた羽根が回転して、ノズルが自転し、このノズルの自転を利用して、ラックアンドピニオン機構により、ノズル室内をノズルが旋回するものが提供されている。（特許文献１を参照のこと）
【特許文献１】
特開平５−１２３６１３
【０００３】
【発明が解決しようとする課題】
しかしながら、これらの吐水装置では、旋回しやすくするために、ラックアンドピニオン機構や羽根をノズルに設けているため、部品形状が複雑となり加工費用が掛かってしまっていた。
また、ノズルの旋回により、ノズル受け部が磨耗しやすいといった問題もある。
【０００４】
そこで、本発明の目的は、上記の問題点を解決するため、旋回しながら吐水するノズルを備えた吐水装置において、部品形状をシンプルにして加工費を抑えると共に、さらに、初期の通水でノズルを傾斜させて、安定して適度な速度で旋回するノズルを備えた吐水装置を提供することを目的とする。特に人体に吐水される場合に好適な吐水装置を提供する。
【０００５】
【課題を解決するための手段】
本発明の請求項１では、湯水が流入する流入室と、流入室内に流入した湯水を吐水するノズルとが組み込まれた吐水装置であって、流入室内に流入した湯水が流入室内の内周壁面に沿って旋回流を起こすように流入室に流入口を形成し、さらに、このノズルは、略円柱形のノズル本体と、このノズル本体の一端部にこのノズル本体よりも小径の先端部と、このノズル本体の他端部に形成した錘部とから形成されており、かつ、ノズルの軸方向に沿って通水路を形成するとともに、先端部には通水部に連通する吐水口を形成し、さらに、ノズルの先端部を流入室の開口部から外部に臨ませてノズル本体を流入室のノズル支持部にて支持し、旋回流によりノズルを首振り可能に構成するとと共に、前記錘部は、略円柱形の側面を部分的にカットしたことを特徴とする吐水装置とした。
【０００６】
これにより、吐水装置をどの向きに配置していた場合においても、流入口から流れてきた湯水によって生じた旋回流がノズルの錘部のカットした側面で乱れ、その乱れによってノズルがバランスを崩して傾斜する。つまり、初期の通水によって、ノズルがバランスを崩して傾斜し、ノズルが旋回しやすくなる。
本発明では、従来技術のように羽根を有するノズルと異なり、旋回流の勢いによってノズルを旋回させるシンプルな形状として、加工性や耐久性を向上している。
一方、羽根を有さないノズルの場合、均一な乱れのない旋回流で旋回しようとすると、ノズルに対して対称的に旋回流の力が加わるため、通水初期にはノズルが旋回しない場合がある。
そして、ノズルの先端部を流入室の開口部から外部に臨ませてノズル本体を流入室のノズル支持部にて支持している構成の場合、ノズルは開口部に対して垂直に支持されやすい。この垂直に支持された状態で流入した湯水の水力が対象にノズルに加わるとノズルは傾斜しないまま、吐水されてしまう。
そこで、本発明のように錘部の側面をカットすることで、その部分における旋回流の乱れを生じさせて、ノズルに加わる水力のバランスを崩し、どのように吐水装置を配置しても、初期の通水によって、ノズルが流入室の軸に対して傾斜させることができるので、通水された旋回流によってノズルはすぐに安定して旋回して、吐水することができるのである。
【０００７】
本発明の請求項２では、湯水が流入する流入室と、流入室内に流入した湯水を吐水するノズルとが組み込まれた吐水装置であって、流入室内に流入した湯水が流入室内の内周壁面に沿って旋回流を起こすように流入室に流入口を形成し、さらに、このノズルは、略円柱形のノズル本体と、このノズル本体の一端部にこのノズル本体よりも小径の先端部と、このノズル本体の他端部に形成した錘部とから形成されており、かつ、ノズルの軸方向に沿って通水路を形成するとともに、先端部には通水部に連通する吐水口を形成し、さらに、ノズルの先端部を流入室の開口部から外部に臨ませてノズル本体を流入室のノズル支持部にて支持し、旋回流によりノズルを首振り可能に構成するとと共に、前記錘部は、略円柱形の側面に対して、対向する両側面を形成するようにカットしてなることを特徴とする吐水装置とした。
【０００８】
これにより、吐水装置をどの向きに配置していた場合においても、流入口から流れてきた湯水によって生じた旋回流がノズルの錘部のカットした側面で乱れ、その乱れによってノズルがバランスを崩し傾斜しやすくなる。つまり、初期の通水によって、ノズルがバランスを崩して傾斜し、ノズルが旋回しやすくなる。
本発明では、従来技術のように羽根を有するノズルと異なり、旋回流の勢いによってノズルを旋回させるシンプルな形状として、加工性や耐久性を向上している。
一方、羽根を有さないノズルの場合、均一な乱れのない旋回流で旋回しようとすると、ノズルに対して対称的に旋回流の力が加わるため、通水初期にはノズルが旋回しない場合がある。
そして、ノズルの先端部を流入室の開口部から外部に臨ませてノズル本体を流入室のノズル支持部にて支持している構成の場合、ノズルは開口部に対して垂直に支持されやすい。この垂直に支持された状態で流入した湯水の水力が対象にノズルに加わるとノズルは傾斜しないまま、吐水されてしまう。
そこで、本発明のように錘部の略円柱形の側面に対して、対向する両側面を形成するようにカットすることで、その部分における旋回流の乱れを生じさせることができる。特に、このような乱れは均一な乱れとならないため、両側面において均等に力が加わらずノズルはバランスを崩すものと思われる。そのため、どのように吐水装置を配置しても、初期の通水によって、ノズルが流入室の軸に対して傾斜させることができる。
そして、旋回流による水力は、この乱れにより受ける力より大きいため、錘部の側面で生じる乱れの力でノズルを傾斜してしまえば、その後は、旋回流の水力により、ノズルを安定してバランスよく旋回して、吐水することができるのである。
また、旋回流により、ノズルは回転する。この回転は、傾斜した状態で首振りする旋回と、この旋回に伴って、ノズルの軸に対して回転する自転とが同時に行われている。一方、カットした側面に旋回流が入り込むことにより、ノズルの自転と逆方向の力が加わる。そのため、ノズルの回転を抑制する効果も奏する。この効果は、錘部の側部に、一側面を形成するよりも、両側面を形成した方がより効果を奏する。
【０００９】
本発明の請求項３では、湯水が流入する流入室と、流入室内に流入した湯水を吐水するノズルとが組み込まれた吐水装置であって、流入室内に流入した湯水が流入室内の内周壁面に沿って旋回流を起こすように流入室に流入口を形成し、さらに、このノズルは、略円柱形のノズル本体と、このノズル本体の一端部にこのノズル本体よりも小径の先端部と、このノズル本体の他端部に形成した錘部とから形成されており、かつ、ノズルの軸方向に沿って通水路を形成するとともに、先端部には通水部に連通する吐水口を形成し、さらに、ノズルの先端部を流入室の開口部から外部に臨ませてノズル本体を流入室のノズル支持部にて支持し、旋回流によりノズルを首振り可能に構成するとと共に、前記ノズルに対して、初期通水時に流入した湯水の水力が非対称に加わることを特徴とする吐水装置。
【００１０】
これにより、吐水装置をどの向きに配置していた場合においても、流入口から流れてきた湯水によって生じた旋回流がノズルに対して、初期通水時に非対称に旋回流の水力が加わる、ノズルがバランスを崩し傾斜させることができる。
そのため、初期の通水によって、ノズルがバランスを崩して傾斜し、ノズルが旋回しやすくなる。
本発明では、従来技術のように羽根を有するノズルと異なり、旋回流の勢いによってノズルを旋回させるシンプルな形状として、加工性や耐久性を向上している。
一方、羽根を有さないノズルの場合、均一な乱れのない旋回流で旋回しようとすると、ノズルに対して対称的に旋回流の力が加わるため、通水初期にはノズルが旋回しない場合がある。
そして、ノズルの先端部を流入室の開口部から外部に臨ませてノズル本体を流入室のノズル支持部にて支持している構成の場合、ノズルは開口部に対して垂直に支持されやすいのである。この垂直に支持された状態で流入した湯水の水力が対象にノズルに加わるとノズルは傾斜しないまま、吐水されてしまうのである。
そのため、本発明のように構成することで、初期の通水によって、ノズルを傾斜させて旋回させることが可能となる。
【００１１】
本発明の請求項４では、前記ノズルは、金属製であることを特徴とする請求項１乃至３のいずれか１つに記載の吐水装置とした。
【００１２】
これにより、旋回速度を適度な回転速度に抑えることができる。特に、錘部のカットした側面で乱れが生じ、より回転速度を抑えることができるのである。そのため、所定の範囲を連続して叩くような感触を得ることができ、いままでのシャワーノズルにない吐水感を得ることができる。
たとえば、合成樹脂などで形成した軽量なノズルの場合、旋回流により旋回速度が速くなり過ぎてしまい、所定の範囲を連続して叩くような感触を得ることができないのである。
【００１３】
【発明の実施の形態】
以下に図面を参照して本発明をより具体的に説明する。
図１乃至３は、本発明の吐水装置をシャワーヘッド１に応用した実施例である。図１は全体の断面図を示し、図２、３はヘッド部１Ａ周りの断面図を示す。
このシャワーヘッド１は、浴室やシャワールームなどで身体にシャワーを浴びるときなどに利用されるものである。なお、図示しないが、このシャワーヘッド１は、湯水混合水栓から分岐されたシャワーホースに接続されている。
【００１４】
図１の吐水装置は、シャワーヘッド１のヘッド部１Ａに旋回しながら吐水されるノズル９を有する吐水形態切替ユニット２を取付けて構成されている。
この吐水形態切替ユニット２は、図１に示すとおり、回転軸３と吐水切替操作部４と散水板５、ノズルガイド８、ノズル９から外面を構成し内部に流路切替板６、流路切替機構部７、ノズルケース１０、ばね１１を備えている。また、水密に保つ部位にはＯリング、パッキンを使用している。
【００１５】
では、具体的に吐水形態切替ユニット２の各構成要素を以下に説明する。
吐水切替操作部４は、逆向きの略碗型形状をしており中央に開口４Ｃを形成している。
【００１６】
回転軸３は、略円盤形状をしており、この略円盤形状の中央に雄ねじ部３ｅが突設して形成されている。さらに、この雄ねじ部３ｅの内側には、上流側に向けてコーン形状の突部３ｂを形成し、図７に示すように３つのガイド部３ｄにより、突部３ｂを回転軸本体に連結している。そして、ガイド部３ｄ間に流路３ｃを形成している。なお、突部３ｂをコーン形状とすることで、通水路１５から吐水形態切替ユニット２内への通水がこのコーン形状に沿って流路３ｃをスムーズに通過するのである。
【００１７】
流路切替板６は、図５に示すように、円盤形状をしていて、この円盤の中央に各ガイド部３ｄに嵌合する嵌合片６ａを配置してなり、かつ、散水板５からの通常のシャワーとノズル９からの旋回シャワーを行うために通水される通水穴１６ａ、１６ｂがそれぞれ３つずつ配置されている。なお、通常のシャワーを行うために通水される通水穴の１つを長穴とし、吐水切替時に止水状態を生じないようにしている。（図６（ｃ）を参照）
【００１８】
流路切替機構部７は、上面７ｂを備えかつ底面を備えない筒形状をしており、内部に隔壁７ａを形成している。そして、上面７ｂには、図４に示すようにこの隔壁７ａを境にして内側に通水するための通水穴１７ａを形成し、外側に通水するための通水穴１７ｂを形成している。
【００１９】
ノズルユニット２Ａは、図１２に示すように、ノズルケース１０と、ノズル９と、ノズルガイド８とから構成する。そして、このノズルケース１０とノズルガイド８を重ね合わせることによって、流入室を形成している。そして、この流入室内にノズル９を収納するとともに、ノズルの先端部９ｃを開口８ａから流入室外部に臨ませている。
ノズルケース１０は、図８乃至１０に示すように、上面を備えかつ底面を備えない略筒型形状をしており、側面に細い縦長形状の流入口２３を２つ軸に対して点対称に備えている。
この流入口２３は、図１０に示すように、ノズルケース１０の内周面に対して接線方向に形成されている。
そして、図１３に示すように、この流入口２３から通水をノズルケース１０内に導き、ノズルユニット２Ａ内で通水が旋回するようにしている。特に細い縦長形状の流入口２３としているので、ノズルユニット２Ａの軸に対して、より均一な旋回流を生じさせやすくすることができる。
なお、通水が旋回すれば、流入口２３は必ずしも接線方向に形成しなくともよい。たとえば、流入口２３を接線方向以外の方向で側面または上面に斜め方向に形成してもよい。ただし、通水が流入口２３から内周面にスムーズに流れて旋回するようにして圧力損失をできる限り抑えるため、この流入口２３を内周面に対して接線方向に形成することが好ましい。
また、図１５に示すように、本実施の形態では、流入口２３を軸に対して点対称に２つ形成したが、１つでもよい。
【００２０】
ノズル９は、図１１に示すように、略円柱形のノズル本体９ｂの一端部にこのノズル本体９ｂの径よりも小さい先端部９ｃを延設し、他端部にノズル本体９ｂの径よりも大きい錘部９ａを延設して一体成形されている。
そして、このノズル９の軸方向に通水路１３が錘部９ａ側から先端部９ｃ側のノズル本体９ｂまで１つ形成され、さらに、この通水路１３は先端部９ｃで軸方向に沿って４つの吐水口１３ａに分岐されている。このように軸方向に沿って通水路１３ならびに吐水口１３ａを形成することで加工しやすいと言える。なお、吐水口１３ａを４つの場合を例に挙げて説明したが、これに限定されず、複数であればよく、２つ、３つでもよい。
このように通水路１３を軸方向に沿って形成することで、ノズルユニット２Ａ内で生じた旋回流の旋回成分をノズル９の通水路１３中で軽減させて吐水口１３ａから吐水させることができる。そのため、吐水の乱れを抑えることができる。特に吐水口１３ａを複数設けることで通水路１３を分岐させることで、さらに旋回流の旋回成分を吐水口１３ａ中でも軽減させることができる。
【００２１】
また、略円柱形の錘部９ａの側部を部分的にカットし側面１３ｂを形成している。
この側面１３ｂを形成することで、初期の通水によって、ノズル９が斜めに成りやすく、ノズル９の旋回開始を促進することができる。
なお、鉛部９ａの側部に対して、図１１（Ａ２、Ｂ２）のように一方の側部にのみ側面１３ｂを形成するのではなく、図１１（Ａ１、Ｂ１）のように対向する両方の側部に側面１３ｂを形成するとさらによい。
【００２２】
なお、ノズル９が傾斜している状態で通水するとノズル９の旋回始動が起こりやすい。
シャワーヘッド１は、ヘッド部１Ａが斜め方向に配置されて使用される。たとえば、シャワーフック（図示せず）に保持させた状態での使用や、使用者が手で持った状態での使用などの使用状態がある。そのため、このヘッド部１Ａ内に配置されたノズル９自体も斜めに傾いた状態になっていると言えるが、上述するように側面１３ｂなどを形成しておくことで、シャワーヘッド１がどのように配置されても、ノズル９の通水初期の旋回始動を起こしやすくすることができる。
なお、図１５に示すように、流入口２３を１つとして初期にノズル９に当たる旋回流を非対称とすることでも、ノズル９を傾斜させることができるので、通水初期の旋回始動を起こしやすくすることができる。
また、吐水流室２１を形成することで、２つ流入口２３を形成した吐水装置においては、初期の通水時に、この吐水流室２１から流入口２３へ流れ込む通水量が全く同じとならず、ノズル９に対してこの流入された通水による水力は非対称に加えられることになる。そのため、ノズル９はバランスを崩して傾斜される。
さらに、通水してしばらくすると、この吐水流室２１に通水が満水された状態となり、両流入口２３からの通水量もほぼ同じとなり、バランスのよい旋回流が流入室内に発生させることができ、ノズル９を安定して旋回させることができる。
【００２３】
ノズルガイド８は、図１４に示すように、中央にノズル９の先端部９ｃのみを突設する開口８ａを形成している。
そして、図１４に示すように、ノズル９の先端部９ｃを開口８ａから突設させて、さらに、ノズルガイド８のノズル支持部１２にノズル本体９ｂの端部であるノズル段部９ｄの一部が当接してノズル９が傾斜しながら旋回するよう首振り動作可能に構成されているのである。
また、このノズルガイド８の先端部８ｂには凹部８ｃが形成されている。そして、ノズル９の先端部９ｃはこの凹部８ｃ内で旋回可動する。
つまり、図２、図３や図１４に示すように、ノズル９の吐水口１３の先端は、ノズルガイド８の下面より出ないよう形成している。
そのため、シャワーヘッド１を誤って落下させた場合においても、直接ノズル９に接触しないため、衝撃が和らぎ、損傷を軽減することができる。なお、ばね１１も落下による衝撃を吸収する役割を果たす。
また、錘部９ａの外形は、ノズルガイド８に形成したノズル９を挿入する側の挿入部８Ｄの内径よりも大きくしている。このような構成にしているため、たとえば、通水時にシャワーヘッド１を誤って落下させてノズルガイド部８の先端部８ｂを破損した場合においてもノズル９がノズルガイド部８から飛び出すことがない。
【００２４】
散水板５は、通常のシャワーを吐水するための複数の散水孔５ａを設けた円盤形状をしており、その外周部に吐水切替操作部４に螺合して取り付けるためのねじ部５ｃが形成されている。また、散水板５の中央には開口部５ｂが形成されており、その開口部５ｂからはノズルガイド８とノズル９の先端部が突出される。
【００２５】
では、具体的に吐水形態切替ユニット２の組み立て方法について説明する。
予め、回転軸３と連動するよう位置決めされた状態で回転軸３に流路切替板６を嵌装する。
具体的には、流路切替板６に設けた嵌合片６ａを回転軸３のガイド部３ｄに嵌装させることで固定する。
なお、突部３ｂの内側の空間にばね１１を装着して、このばね１１の付勢と流れてくる通水水圧により、流路切替機構部７のＯリング面に押し付け水密性を保つようにしている。
【００２６】
そして、この流路切替板６を嵌装した回転軸３を吐水切替操作部４に組み付ける。具体的には、吐水切替操作部４の開口４Ｃへ回転軸３に形成された雄ねじ部３ｅを突設するように組み込む。
なお、言うまでもないが、回転軸３を吐水切替操作部４に組み付けた後、流路切替板６を固定軸３に組み付けてもよい。
【００２７】
次に、流路切替機構部７は、吐水切替操作部４と連動するように位置決めされた状態で、吐水切替操作部４内に嵌装される。
そして、この流露切替機構部７の隔壁７ａの内側にノズルユニット２Ａを嵌装する。
そして、散水板５は、そのねじ部５ｃを利用して吐水切替操作部４の端部内側に螺着される。
こうすることで、散水板５の開口部５ｂからノズルガイド８とノズル９の先端部が突出するように、散水板５で吐水切替操作部４内を覆うことができる。
【００２８】
そして、吐水形態切替ユニット２をヘッド部１Ａに取付けるため、開口４Ｃから突設した雄ねじ部３ｅを、ヘッド部１Ａに形成された雌ねじ部１Ｂに螺合することで、シャワーヘッド１を構成しているのである。
【００２９】
なお、吐水切替操作部４は、回転軸３を軸として回転可能に取り付けられている。
つまり、回転軸３と流路切替板６とばね１１は、ヘッド部１Ａに固定されており、他の部材は吐水切替操作部４に固定されている。
そのため、吐水切替操作部４をヘッド部１Ａに対して回転することで、ヘッド部１Ａに固定されている流路切替板６に対して流路切替機構部７が回転し、流路切替板６と流路切替機構部７とにそれぞれに設けた通水穴が重なり合ったり、重なり合わなかったりして流路を切り替えるのである。
【００３０】
では、吐水切替による通水穴の重なり合い状態を図６に基づき具体的に説明する。
図６（Ａ）は、ノズルユニット２Ａに通水してノズル９を旋回させて旋回シャワーを得る場合の通水穴の重なり合いを示す。つまり、流路切替板６の通水穴１６ａと流路切替機構部７の通水穴１７ａとが重なり合い、流路切替板６の通水穴１６ｂと流路切替機構部７の通水穴１７ｂとが重なり合っていない状態である。
図６（ｂ）は、散水板５の散水孔５ａから通常シャワーを得る場合の通水穴の重なり合いを示す。つまり、流路切替板６の通水穴１６ｂと流路切替機構部７の通水穴１７Ｂとが重なり合い、流路切替板６の通水穴１６ａと流路切替機構部７の通水穴１７ａとが重なり合っていない状態である。
さらに、図６（ｃ）は、図６（ａ）と（ｂ）の切替途中を示す。切替途中に止水状態を形成してしまうと、シャワーホースおよびシャワーヘッド内に静水圧（水道管の給水圧）が掛かってしまい、高い水圧を部材が受けてしまう。そのため、止水状態を形成しないように、１つの通水穴１６ｂを長穴にして、切替途中において、両方の通水穴から通水されるようにしているのである。
なお、吐水切替時の回転範囲を規制するための回転規制手段は、吐水切替操作部４に形成した凹部４ａと固定軸３に形成した凸部３ａにより形成される。
つまり、図７に示すように、固定軸３に形成した凸部３ａが回転する吐水切替操作部４の内側に形成した凹部４ａの端部に当たることで、その回転する範囲を規制している。そして、凹部４ａの一端部に凸部３ａが当接したときに通常のシャワーに切り替わり、また、他端部に凸部３ａが当接したときにノズル９からの旋回シャワーに切り替わるのである。
【００３１】
次に、ノズル９からの旋回シャワーについて以下で説明する。
まず、シャワーヘッド１の給水口１４より供給された湯水は、シャワーヘッド本体１の通水路１５を通り吐水形態切替ユニット２内に供給される。
回転軸３内に湯水が通水されると流路切替板６の通水穴１６ａと流路切替機構部７の通水穴１７ａが連通し、吐水流室１８に湯水が流れ、吐水流室１８から、ノズルケース１０の流入口２３に入り、ノズル９内の通水路１３を通り、ノズル９の吐水口１３ａから吐水される。
【００３２】
ノズルケース１０の流入口２３は、図１３に示すように、接線方向（斜め方向）から内部に流入するように形成され、ノズルケース１０内に旋回流を引き起こす。
この旋回流の水の勢いにより、ノズル９が、ノズルガイド８のノズル支持部１２を軸として、首振り回転をしながら、吐水する。また、錘部９ａをノズル本体９ｂの先端部９ｃと対向する一端部に一体に配置したことでノズルが安定して旋回しやすい。
この際、ノズルケース１０内の湯水が、ノズル９の通水路１９だけでなく、ノズルガイド８とノズル９の隙間２０よりノズル９に沿って、流れ出す。このノズル９の周りの湯水が潤滑剤となり、ノズルケース１０のノズル支持部１２とノズル段部９ｃとの磨耗が減り、耐久性を向上することができる。
【００３３】
また、この隙間２０からながれでた微量の湯水は、ノズル９の先端部９ｃが隙間２０部分の径と先端の径を略同径に形成していることにより、回転しているノズル９の先端部９ｃによって飛び散ることなく、逆にノズル９の吐水口１３からの吐水に収束して散水される。
【００３４】
また、散水孔５ａからの通常のシャワーを選択した場合、流路切替板６の通水穴１６ｂは、流路切替機構部７上の通水穴１７ｂと連通し、湯水は、吐水流室２１を通って、散水板５の散水孔５ａより吐水される。
【００３５】
この旋回させて吐水するノズルによって、適度な断続感を得ることができマッサージ効果を得ることができる。
特に、この適度な断続感はノズルの旋回速度をあまり早くしすぎると得られなくなってしまうため、適度な回転数とすることが必要である。
このノズルの回転数は、吐水量、ノズル重量、形状および重心によって左右される。
吐水量を身体にシャワーを浴びたときに快適な所定の量に設定した場合、ノズルの重量や形状重心位置によって回転数が決まってくる。
特に、合成樹脂だけで形成し軽量化するとノズルの回転数が早くなりすぎ、適度な断続感が得られ難くなる。
そのため、上述したノズル９は、金属製の部材から構成するとよい。たとえば、黄銅、青銅で形成するとよい。この場合さらに切削加工ができるため、回転数の違う仕様を容易に成形することができると言える。
また、吐水時の旋回速度を抑制するため、ノズル９の適度な重さとするために、ノズル９を合成樹脂製とする場合には、錘部９ａに金属部９０ａをインサートさせた構成とすることが好ましい。この場合、図１６に示すように、錘部９ａの部分に黄銅等からなる金属部９０ａをインサートし、ノズル９自体をＡＢＳ樹脂やポリプロピレンなどの合成樹脂材を用いるとよい。
一方、ノズルガイド８に形成したノズル支持部１２は、合成樹脂製の部材から構成されている。たとえば、このノズルガイド８は強度が必要なため、ポリアセタールなどを用いるとするとよい。
このようにノズル９を重量のある金属製とすることでノズル９の回転力が増すことができる。さらには、ノズル９とノズル支持部１２と別材料とすることで摩擦を低減させることができる。
なお、ノズル９の先端部９ｃの形状であるが、たとえば、図１５に示すように、ノズル本体９ｂ側から先端に向かって径が小さくなるように形成してもよい。このようにすることで、ノズル９とノズル支持部９ｃとの隙間から流れ出た湯水は、先端部９ｃに伝わって、吐水口１３ａからの吐水に収束させることができると言える。
さらに、図示しないが、先端部９ｃに吐水時にノズルが自転する向きとは逆向きの螺旋状の溝などを設けておき、この溝に伝わって吐水に吐水口１３ａからの吐水に収束させてもよい。
【００３６】
本発明は、本発明は上述の実施例に限定されること無く種々の切替機構への応用が可能であり、シャワーヘッド１のみならず、例えば、台所用水栓、洗面用水栓、衛生洗浄装置のノズル、など種々の吐水装置の切替機構に用いることができる。
なお、本発明は、シャワーヘッド１などの流量が３〜１０Ｌ／分以上使用され、特に吐水を直接感じるような人体への吐水を行う吐水装置により好適である。
特に、この場合ノズルの旋回速度を１０００〜２０００ｒｐｍ、より好ましくは１２００〜１８００ｒｐｍに設定するようにするとよい。
本発明では、略円柱形の錘部９ａの側部に対して対向する両側面を形成するようにカットすることで、ノズルの回転数を１２００〜１８００ｒｐｍに抑制することができた。
つまり、図１７（Ｂ）に示すように、旋回流Ｘにより、ノズルは回転する。この回転は、傾斜した状態で首振りする旋回Ｒ１と、この旋回に伴って、ノズルの軸に対して回転する自転Ｒ２とが同時に行われている。一方、カットした側面１３ｂに旋回流が入り込む（図中のＹの流れ）ことにより、ノズルの自転と逆方向の力が加わる（Ｒ３の回転力を生じる）。また、側面１３ｂを形成することで回転時に流体抵抗を受けやすくなる。そのため、ノズルの回転を抑制する効果を奏する。この効果は、錘部９ａの側部１３ｂに、一側面を形成するよりも、両側面を形成した方がより効果を奏する。
【００３７】
【発明の効果】
以上のように構成したことにより、旋回しながら吐水するノズルを備えた吐水装置において、部品形状をシンプルにして加工費を抑えると共に、さらに、初期の通水でノズルを傾斜させて、安定して適度な速度で旋回するノズルを備えた吐水装置を提供することができる。特に人体に吐水される場合に好適な吐水装置を提供することができる。
【図面の簡単な説明】
【図１】本件発明の実施の形態である吐水装置の断面図を示す。
【図２】図１の吐水切替ユニットの断面図で散水板の通水孔からの通常のシャワーが選択された状態。
【図３】図１の吐水切替ユニットの断面図でノズルからの旋回シャワーが選択された状態。
【図４】流路切替機構部の平面図を示す。
【図５】流路切替板の平面図を示す。
【図６】流路切替の通水穴の重なり合い状態を示す。
【図７】吐水切替操作部と固定軸とにより形成した吐水切替時の回転規制手段を示す。
【図８】ノズルケースの外観図を示す。
【図９】ノズルケースの平面図を示す。
【図１０】図９のＡ−Ａ断面図を示す。
【図１１】ノズルを示す。
【図１２】ノズルユニットの組み立て方法を示す。
【図１３】図１２のノズルケースのＡ−Ａ断面図における通水の流れを示す。
【図１４】ノズルガイドに支持されたノズルの状態を示す。
【図１５】ノズルケースに流入口を１つ形成した場合を示す。
【図１６】ノズルの別の実施形態を示す。
【図１７】通水初期時のノズルの錘部の水の流れを示す。
【符号の説明】
１  シャワーヘッド
１Ａ  ヘッド部
２  吐水形態切替ユニット
２Ａ  ノズルユニット
３  回転軸
４  吐水切替操作部
５  散水板
６  流路切替板
７  流路切替機構部
７ａ  隔壁
８  ノズルガイド
９  ノズル
１０  ノズルケース
１１  ばね
１２  ノズル支持部
１３  通水路
１３ａ  吐水口
１４  給水口
１５  通水路
１６ａ  通水穴
１６ｂ  通水穴
１７ａ  通水穴
１７ｂ  通水穴
１８  吐水流室
２０  隙間
２１  吐水流室
２３  流入口
【図１】
2004154732.tif 000003
【図２】
2004154732.tif 000004
【図３】
2004154732.tif 000005
【図４】
2004154732.tif 000006
【図５】
2004154732.tif 000007
【図６】
2004154732.tif 000008
【図７】
2004154732.tif 000009
【図８】
2004154732.tif 000010
【図９】
2004154732.tif 000011
【図１０】
2004154732.tif 000012
【図１１】
2004154732.tif 000013
【図１２】
2004154732.tif 000014
【図１３】
2004154732.tif 000015
【図１４】
2004154732.tif 000016
【図１５】
2004154732.tif 000017
【図１６】
2004154732.tif 000018
【図１７】
2004154732.tif 000019